【手続補正書】
【提出日】平成19年2月19日(2007.2.19)
【手続補正１】
【補正対象書類名】明細書
【補正対象項目名】特許請求の範囲
【補正方法】変更
【補正の内容】
【特許請求の範囲】
【請求項１】  体通路または体腔の完全性を改良または増加するための医薬の製造のための、線維症を誘導する因子の使用であって、該医薬は、該体通路または体腔の非管腔表面に該因子を送達するのに適している、使用。
【請求項２】  前記因子は、外膜を介して送達される、請求項１に記載の使用。
【請求項３】  前記医薬が重合体キャリアをさらに含む、請求項１または２に記載の使用。
【請求項４】  前記重合体キャリアがフィルムに形成される、請求項１に従属する場合の請求項３に記載の使用。
【請求項５】  前記重合体キャリアがラップに形成される、請求項１に従属する場合の請求項３に記載の使用。
【請求項６】  前記重合体キャリアがゲルに形成される、請求項３に記載の使用。
【請求項７】  前記重合体キャリアが泡沫に形成される、請求項３に記載の使用。
【請求項８】  前記重合体キャリアが鋳型に形成される、請求項３に記載の使用。
【請求項９】  前記重合体キャリアが０．５μｍと２００μｍとの間の平均サイズを有するミクロスフェアに形成される、請求項３に記載の使用。
【請求項１０】  前記重合体キャリアがポリ（エチレンビニルアセテート）である、請求項３に記載の使用。
【請求項１１】  前記重合体キャリアがポリ（乳酸）およびポリ（グリコール酸）の共重合体である、請求項３に記載の使用。
【請求項１２】  前記重合体キャリアがポリ（カプロラクトン）である、請求項３に記載の使用。
【請求項１３】  前記重合体キャリアがポリ（乳酸）である、請求項３に記載の使用。
【請求項１４】  前記重合体キャリアがポリ（乳酸）およびポリ（カプロラクトン）の共重合体である、請求項３に記載の使用。
【請求項１５】  前記重合体キャリアがポリ（ウレタン）である、請求項３に記載の使用。
【請求項１６】  前記重合体キャリアがヒアルロン酸である、請求項３に記載の使用。
【請求項１７】  前記重合体キャリアがキトサンである、請求項３に記載の使用。
【請求項１８】  前記重合体キャリアがシリコンである、請求項３に記載の使用。
【請求項１９】  前記重合体キャリアがポリ（ヒドロキシエチルメタクリレート）である、請求項３に記載の使用。
【請求項２０】  前記因子が、カンプトセシン、またはそのアナログもしくは誘導体である、請求項３に記載の使用。
【請求項２１】  請求項１に記載の使用であって、ここで前記体通路が、動脈、静脈、心臓、食道、胃、十二指腸、小腸、大腸、胆管、尿管、膀胱、尿道、涙管、気管、気管支、細気管支、鼻気道、エウスターキオ管、外耳道、精管およびファローピウス管からなる群より選択される、使用。
【請求項２２】  請求項１に記載の使用であって、ここで前記体腔が、腹腔、口腔前庭、腹膜腔、心膜腔、骨盤腔、内臓周囲腔、胸膜腔および子宮腔からなる群より選択される、使用。
【請求項２３】  請求項１に記載の使用であって、ここで前記医薬が、直接注射によって、外膜への体通路または体腔の外壁を介して体通路または体腔に送達されるのに適している、使用。
【請求項２４】  前記体通路が動脈または静脈である、請求項１に記載の使用。
【請求項２５】  前記医薬は、動脈および静脈のカテーテル法の医原性合併症の処置または予防のためのものである、請求項１〜２４のいずれか１項に記載の使用。
【請求項２６】  前記医薬は、偽動脈瘤の処置または予防のためのものである、請求項１〜２５のいずれか１項に記載の使用。
【請求項２７】  前記医薬は、動脈瘤の処置または予防のためのものである、請求項１〜２５のいずれか１項に記載の使用。
【請求項２８】  前記医薬は、心臓破裂および解剖の処置または予防のためのものである、請求項１〜２５のいずれか１項に記載の使用。
【請求項２９】  前記医薬は、脈管解剖の処置または予防のためのものである、請求項１〜２５のいずれか１項に記載の使用。
【請求項３０】  前記医薬は、プロテーゼ周辺の漏出および心臓弁披裂の処置または予防のためのものである、請求項１〜２５のいずれか１項に記載の使用。
【請求項３１】  前記医薬は、胃腸通路破裂および解剖の処置または予防のためのものである、請求項１〜２５のいずれか１項に記載の使用。
【請求項３２】  前記医薬は、脈管手術に関連した合併症の処置または予防のためのものである、請求項１〜２５のいずれか１項に記載の使用。
【請求項３３】  体通路または体腔の完全性を改良または増加するための組成物であって、該組成物は線維症を誘導する因子を含み、ここで、該因子を含む該組成物は、該体通路または体腔の非管腔表面に該因子を送達するのに適している、組成物。
【請求項３４】  前記因子を含む前記組成物は、外膜を介して送達されるのに適している、請求項３３に記載の組成物。
【請求項３５】  前記組成物が重合体キャリアをさらに含む、請求項３３または３４に記載の組成物。
【請求項３６】  前記重合体キャリアがフィルムに形成される、請求項３３に従属する場合の請求項３５に記載の組成物。
【請求項３７】  前記重合体キャリアがラップに形成される、請求項３３に従属する場合の請求項３５に記載の組成物。
【請求項３８】  前記重合体キャリアがゲルに形成される、請求項３５に記載の組成物。
【請求項３９】  前記重合体キャリアが泡沫に形成される、請求項３５に記載の組成物。
【請求項４０】  前記重合体キャリアが鋳型に形成される、請求項３５に記載の組成物。
【請求項４１】  前記重合体キャリアが０．５μｍと２００μｍとの間の平均サイズを有するミクロスフェアに形成される、請求項３５に記載の組成物。
【請求項４２】  前記重合体キャリアがポリ（エチレンビニルアセテート）である、請求項３５に記載の組成物。
【請求項４３】  前記重合体キャリアがポリ（乳酸）およびポリ（グリコール酸）の共重合体である、請求項３５に記載の組成物。
【請求項４４】  前記重合体キャリアがポリ（カプロラクトン）である、請求項３５に記載の組成物。
【請求項４５】  前記重合体キャリアがポリ（乳酸）である、請求項３５に記載の組成物。
【請求項４６】  前記重合体キャリアがポリ（乳酸）およびポリ（カプロラクトン）の共重合体である、請求項３５に記載の組成物。
【請求項４７】  前記重合体キャリアがポリ（ウレタン）である、請求項３５に記載の組成物。
【請求項４８】  前記重合体キャリアがヒアルロン酸である、請求項３５に記載の組成物。
【請求項４９】  前記重合体キャリアがキトサンである、請求項３５に記載の組成物。
【請求項５０】  前記重合体キャリアがシリコンである、請求項３５に記載の組成物。
【請求項５１】  前記重合体キャリアがポリ（ヒドロキシエチルメタクリレート）である、請求項３５に記載の組成物。
【請求項５２】  前記因子が、カンプトセシン、またはそのアナログもしくは誘導体である、請求項３３に記載の組成物。
【請求項５３】  請求項３３に記載の組成物であって、ここで前記体通路が、動脈、静脈、心臓、食道、胃、十二指腸、小腸、大腸、胆管、尿管、膀胱、尿道、涙管、気管、気管支、細気管支、鼻気道、エウスターキオ管、外耳道、精管およびファローピウス管からなる群より選択される、組成物。
【請求項５４】  請求項３３に記載の組成物であって、ここで前記体腔が、腹腔、口腔前庭、腹膜腔、心膜腔、骨盤腔、内臓周囲腔、胸膜腔および子宮腔からなる群より選択される、組成物。
【請求項５５】  請求項３３に記載の組成物であって、ここで前記組成物が、直接注射によって、外膜への体通路または体腔の外壁を介して体通路または体腔に送達されるのに適している、組成物。
【請求項５６】  前記体通路が動脈または静脈である、請求項３３に記載の組成物。
【請求項５７】  前記組成物は、動脈および静脈のカテーテル法の医原性合併症の処置または予防のためのものである、請求項３３〜５６のいずれか１項に記載の組成物。
【請求項５８】  前記組成物は、偽動脈瘤の処置または予防のためのものである、請求項３３〜５６のいずれか１項に記載の組成物。
【請求項５９】  前記組成物は、動脈瘤の処置または予防のためのものである、請求項３３〜５６のいずれか１項に記載の組成物。
【請求項６０】  前記組成物は、心臓破裂および解剖の処置または予防のためのものである、請求項３３〜５６のいずれか１項に記載の組成物。
【請求項６１】  前記組成物は、脈管解剖の処置または予防のためのものである、請求項３３〜５６のいずれか１項に記載の組成物。
【請求項６２】  前記組成物は、プロテーゼ周辺の漏出および心臓弁披裂の処置または予防のためのものである、請求項３３〜５６のいずれか１項に記載の組成物。
【請求項６３】  前記組成物は、胃腸通路破裂および解剖の処置または予防のためのものである、請求項３３〜５６のいずれか１項に記載の組成物。
【請求項６４】  前記組成物は、脈管手術に関連した合併症の処置または予防のためのものである、請求項３３〜５６のいずれか１項に記載の組成物。